(57)【要約】  基地局と、端末と、該基地局と該端末との間で送受信される無線信号を中継するリレー局（４００）とを含む無線通信システムにおいて、リレー局は、あるタイミングを基準とした複数の期間の経過毎に、それぞれの期間に対応する呼について、基地局との間の再接続処理を実行する第１の処理装置（４２１）と、それぞれの期間に対応する呼についての再接続処理の開始から所定時間の経過前に基地局と再接続できない場合、所定時間の経過により、対応する呼の呼切断を通知するメッセージを端末に送信する送信部（４０２）と、をそなえ、端末は、リレー局から送信されたメッセージを受信する受信部と、メッセージの受信に応じて、対応する呼の呼切断処理を実行する第２の処理装置とをそなえる。
2012035646.tif 000002
【特許請求の範囲】
【請求項１】
基地局と、端末と、該基地局と該端末との間で送受信される無線信号を中継するリレー局とを含む無線通信システムにおいて、
該リレー局は、
あるタイミングを基準とした複数の期間の経過毎に、それぞれの期間に対応する呼について、該基地局との間の再接続処理を実行する第１の処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえ、
該端末は、
該リレー局から送信された前記メッセージを受信する受信部と、
前記メッセージの受信に応じて、対応する呼の呼切断処理を実行する第２の処理装置と、をそなえた、
ことを特徴とする、無線通信システム。
【請求項２】
前記第１の処理装置は、
該端末が利用する通信サービスの優先度に基づいて、前記それぞれの期間を設定する、
ことを特徴とする、請求項１記載の無線通信システム。
【請求項３】
前記第１の処理装置は、
該端末が利用する通信サービスの優先度を、前記優先度の種類よりも少ない複数のグループに割り当てるとともに、
前記複数のグループの優先度に基づいて、前記それぞれの期間を設定する、
ことを特徴とする、請求項１記載の無線通信システム。
【請求項４】
前記複数のグループの優先度は、前記複数のグループに割り当てられた前記優先度のうち最も高い優先度である、
ことを特徴とする、請求項３記載の無線通信システム。
【請求項５】
前記あるタイミングを基準とした期間は、該リレー局が接続中の該基地局との間の無線通信区間の状態の異常を検出してからＲＬＦ（Radio Link Failure）の発生までの期間である、
ことを特徴とする、請求項１〜４のいずれか１項に記載の無線通信システム。
【請求項６】
前記第１の処理装置は、
該リレー局が接続中の該基地局との間の無線通信区間の状態の異常が復旧した場合、前記それぞれの期間に対応する呼についての前記再接続処理を停止する、
ことを特徴とする、請求項１〜５のいずれか１項に記載の無線通信システム。
【請求項７】
該基地局は、
前記あるタイミングを基準とした複数の期間のうち最も長い期間が経過後さらに前記所定時間が経過した場合、前記再接続処理を許容しない、
ことを特徴とする、請求項１〜６のいずれか１項に記載の無線通信システム。
【請求項８】
基地局と端末との間で送受信される無線信号を中継するリレー局において、
あるタイミングを基準とした複数の期間の経過毎に、それぞれの期間に対応する呼について、該基地局との間の再接続処理を実行する処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえた、
ことを特徴とする、リレー局。
【請求項９】
前記処理装置は、
該端末が利用する通信サービスの優先度に基づいて、前記それぞれの期間を設定する、
ことを特徴とする、請求項８記載のリレー局。
【請求項１０】
前記処理装置は、
該端末が利用する通信サービスの優先度を、前記優先度の種類よりも少ない複数のグループに割り当てるとともに、
前記複数のグループの優先度に基づいて、前記それぞれの期間を設定する、
ことを特徴とする、請求項８記載のリレー局。
【請求項１１】
前記複数のグループの優先度は、前記複数のグループに割り当てられた前記優先度のうち最も高い優先度である、
ことを特徴とする、請求項１０記載のリレー局。
【請求項１２】
前記あるタイミングを基準とした期間は、該リレー局が接続中の該基地局との間の無線通信区間の状態の異常を検出してからＲＬＦ（Radio Link Failure）の発生までの期間である、
ことを特徴とする、請求項８〜１１のいずれか１項に記載のリレー局。
【請求項１３】
前記処理装置は、
該リレー局が接続中の該基地局との間の無線通信区間の状態の異常が復旧した場合、前記それぞれの期間に対応する呼についての前記再接続処理を停止する、
ことを特徴とする、請求項８〜１２のいずれか１項に記載のリレー局。
【請求項１４】
リレー局を介して基地局との間で無線信号を送受信する端末において、
あるタイミングを基準とした複数の期間の経過毎に、それぞれの期間に対応する呼について該リレー局で実行される再接続処理の開始から所定時間の経過前に該リレー局が該基地局と再接続できない場合、該所定時間の経過により該リレー局から送信される、呼切断を通知するメッセージを受信する受信部と、
前記メッセージの受信に応じて、対応する呼の呼切断処理を実行する処理装置と、をそなえた、
ことを特徴とする、端末。
【請求項１５】
基地局と、端末と、該基地局と該端末との間で送受信される無線信号を中継するリレー局とを含む無線通信システムに用いられる無線通信方法において、
該リレー局は、
あるタイミングを基準とした複数の期間の経過毎に、それぞれの期間に対応する呼について、該基地局との間の再接続処理を実行し、
前記それぞれの期間に対応する呼についての前記再接続処理の開始から所定時間の経過前に該基地局と再接続できない場合、該所定時間の経過により、対応する呼の呼切断を通知するメッセージを該端末に送信し、
該端末は、
該リレー局から送信された前記メッセージを受信し、
前記メッセージの受信に応じて、対応する呼の呼切断処理を実行する、
ことを特徴とする、無線通信方法。
【発明の詳細な説明】
【技術分野】
【０００１】
本発明は、無線通信システム、リレー局、端末及び無線通信方法に関する。前記無線通信システムは、例えば、基地局と端末との間で送受信される無線信号を中継するリレー局を含む。
【背景技術】
【０００２】
近年の無線通信分野では、音声通話だけでなく、インターネットへのアクセス、ストリーミング放送の配信、音楽や映像のようなコンテンツの配信など、様々なサービスが展開されている。また、通信速度の高速化や、接続エリアの拡張化などにより、これらのサービスをどこでも高品質に提供することが求められている。
通信速度を高速化すべく、標準化団体である3rd Generation Partnership Project（３ＧＰＰ）では、Long Term Evolution（ＬＴＥ）が仕様化され、サービスが開始されている。このＬＴＥ方式では、最大で、下り約３００Ｍｂｐｓ、上り約１５０Ｍｂｐｓの通信が可能である。【０００３】
また、接続エリアを拡張化すべく、ＬＴＥの次世代規格であるLTE-Advanced（ＬＴＥ−Ａ）では、端末と基地局との間で送受信される無線信号を中継するリレー局の導入が検討されている。
なお、ＬＴＥ方式の通信システムにおいて、移動局がRadio Resource Control（ＲＲＣ）コネクションにおけるリンク障害（ＲＬＦ：Radio Link Failure）を検出した場合の基地局への再接続要求の正当性を保証する方法が提案されている（下記特許文献１）。
【先行技術文献】
【特許文献】
【０００４】
【特許文献１】特開２０１０−４５０３号公報
【発明の概要】
【発明が解決しようとする課題】
【０００５】
例えば、端末の移動などにより端末周辺の無線伝播環境が変化すると、端末での受信品質が劣化する場合がある。受信品質が劣化すると、基地局との接続状態が不安定になることがあるため、端末は、無線信号の受信品質に基づいて、基地局との接続状態を監視する。
無線通信の維持に支障をきたすレベルまで受信品質が劣化し、且つ、一定時間内に受信品質の状態が復旧しない場合、端末は、ＲＬＦの発生を検出し、他の基地局や、他のセルあるいは他のセクタなどへ接続先を切り替える再接続処理を実施する。【０００６】
ここで、端末の再接続処理の一例を図１に示す。
この図１に示すように、端末は、所定の接続シーケンスにより基地局と接続を確立し、通信を開始すると（ステップＳ１）、端末と基地局との間のリンク（アクセスリンク）において、無線信号の受信品質の測定を定期あるいは不定期に行なう（ステップＳ２）。
そして、端末は、測定した受信品質と所定の閾値レベルとを比較し、受信品質が所定の閾値レベルよりも小さい場合にリンク異常を検出する（ステップＳ３）。【０００７】
ここで、リンク異常が検出されない場合（ステップＳ３のＮＯルート）、端末は、ステップＳ２及びＳ３の処理を繰り返す。一方、リンク異常を検出した場合（ステップＳ３のＹＥＳルート）、端末は、一定時間内にリンク異常状態が復旧しないかどうかの監視を行なうため、タイマ（状態復旧監視タイマ）を起動する（ステップＳ４）。
次いで、端末は、アクセスリンクのリンク異常状態が復旧したかどうかを監視する（ステップＳ５）。例えば、端末は、測定した受信品質と所定の閾値レベルとを比較し、受信品質が所定の閾値レベル以上であるかどうかを監視する。【０００８】
そして、端末は、アクセスリンクの状態が復旧したかどうかを判定する（ステップＳ６）。ここで、アクセスリンクの状態が復旧した場合（ステップＳ６のＹＥＳルート）、状態復旧監視タイマを停止し（ステップＳ７）、処理をステップＳ２へ移行する。一方、アクセスリンクの状態が復旧しない場合（ステップＳ６のＮＯルート）、端末は、状態復旧監視タイマがタイムアウトしたかどうかを判定する（ステップＳ８）。【０００９】
状態復旧監視タイマがタイムアウトしていない場合（ステップＳ８のＮＯルート）、端末は、ステップＳ５，Ｓ６及びＳ８の処理を繰り返す。一方、状態復旧監視タイマがタイムアウトした場合（ステップＳ８のＹＥＳルート）、端末は、ＲＬＦの発生を検出し、他の基地局や、他のセルあるいは他のセクタなどへ接続先を切り替える再接続処理を実施する（ステップＳ９）。【００１０】
そして、端末は、再接続処理が成功したかどうかを判定し（ステップＳ１０）、再接続処理が成功したと判定した場合は（ステップＳ１０のＹＥＳルート）、処理をステップＳ２へ移行し、通常状態へ移行する。一方、再接続処理が失敗したと判定した場合は（ステップＳ１０のＮＯルート）、呼切断処理を行ない、基地局との通信を終了する（ステップＳ１１）。なお、通信を終了した端末は、例えば、基地局との接続シーケンスの実行を待つ待ち受け状態へ移行する。【００１１】
ここで、状態復旧監視タイマのタイムアウト値（以下、単にタイマ値ともいう）は、端末が利用するサービスのサービス品質（ＱｏＳ：Quality of Service）に基づいて決定される。
例えば、端末が音声通信サービスを利用している場合、タイマ値が大きい（長い）ほどＲＬＦ検出までの時間が大きくなり、その間、無音や異音などが発生し、ユーザに不快感を与えることになるため、この場合、タイマ値は小さく（短く）設定される。【００１２】
一方、端末がウェブブラウジングなどのようにリアルタイム通信でないパケット通信呼などの通信サービスを利用している場合、時間がかかっても通信ができればよいので、タイマ値は音声通信サービスを利用している場合に比して大きめ（長め）に設定される。
Universal Mobile Telecommunications System（ＵＭＴＳ）におけるタイマ値の一例として、3GPP TS25.331では、音声呼などの回線交換呼のタイマ値としてＴ３１４、パケット交換呼のタイマ値としてＴ３１５が規定されている。なお、Ｔ３１４の初期値は１２秒、Ｔ３１５の初期値は１８０秒として規定されている。【００１３】
しかしながら、前述の特許文献１などには、ＬＴＥ−Ａ方式の通信システムに用いられるリレー局において、基地局とリレー局との間のリンク（リレーリンク）のＲＬＦ検出処理や再接続処理をどのように行なうかについての具体的な提案はなく、無線通信システムにおける効率的な無線通信方法を提供することができない。
そこで、本発明は、無線通信システムにおいて効率的に無線通信を行なって、端末でのサービス品質を維持することを目的の１つとする。【００１４】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１５】
（１）第１の案として、基地局と、端末と、該基地局と該端末との間で送受信される無線信号を中継するリレー局とを含む無線通信システムにおいて、該リレー局は、あるタイミングを基準とした複数の期間の経過毎に、それぞれの期間に対応する呼について、該基地局との間の再接続処理を実行する第１の処理装置と、前記それぞれの期間に対応する呼についての前記再接続処理の開始から所定時間の経過前に該基地局と再接続できない場合、該所定時間の経過により、対応する呼の呼切断を通知するメッセージを該端末に送信する送信部とをそなえ、該端末は、該リレー局から送信された前記メッセージを受信する受信部と、前記メッセージの受信に応じて、対応する呼の呼切断処理を実行する第２の処理装置とをそなえた、無線通信システムを用いることができる。【００１６】
（２）また、第２の案として、基地局と端末との間で送受信される無線信号を中継するリレー局において、あるタイミングを基準とした複数の期間の経過毎に、それぞれの期間に対応する呼について、該基地局との間の再接続処理を実行する処理装置と、前記それぞれの期間に対応する呼についての前記再接続処理の開始から所定時間の経過前に該基地局と再接続できない場合、該所定時間の経過により、対応する呼の呼切断を通知するメッセージを該端末に送信する送信部とをそなえた、リレー局を用いることができる。【００１７】
（３）さらに、第３の案として、リレー局を介して基地局との間で無線信号を送受信する端末において、あるタイミングを基準とした複数の期間の経過毎に、それぞれの期間に対応する呼について該リレー局で実行される再接続処理の開始から所定時間の経過前に該リレー局が該基地局と再接続できない場合、該所定時間の経過により該リレー局から送信される、呼切断を通知するメッセージを受信する受信部と、前記メッセージの受信に応じて、対応する呼の呼切断処理を実行する処理装置とをそなえた、端末を用いることができる。【００１８】
（４）また、第４の案として、基地局と、端末と、該基地局と該端末との間で送受信される無線信号を中継するリレー局とを含む無線通信システムに用いられる無線通信方法において、該リレー局は、あるタイミングを基準とした複数の期間の経過毎に、それぞれの期間に対応する呼について、該基地局との間の再接続処理を実行し、前記それぞれの期間に対応する呼についての前記再接続処理の開始から所定時間の経過前に該基地局と再接続できない場合、該所定時間の経過により、対応する呼の呼切断を通知するメッセージを該端末に送信し、該端末は、該リレー局から送信された前記メッセージを受信し、前記メッセージの受信に応じて、対応する呼の呼切断処理を実行する、無線通信方法を用いることができる。
【発明の効果】
【００１９】
無線通信システムにおいて効率的に無線通信を行なって、端末でのサービス品質を維持することが可能となる。
【図面の簡単な説明】
【００２０】
【図１】端末における再接続処理の一例を示すフローチャートである。
【図２】一実施形態に係る無線通信システムの構成の一例を示す図である。
【図３】図２に示す端末の構成の一例を示す図である。
【図４】図２に示す基地局の構成の一例を示す図である。
【図５】図２に示すリレー局の構成の一例を示す図である。
【図６】無線通信システムの動作例を示す図である。
【図７】一実施形態に係るリレー局の構成の一例を示す図である。
【図８】一実施形態に係るリレー局の制御方法の一例を示す図である。
【図９】一実施形態に係る無線通信システムの動作の一例を示す図である。
【図１０】ＱｏＳグループの設定方法の一例を示す図である。
【図１１】リレー局におけるＱｏＳ取得方法の一例を示す図である。
【図１２】リレー局におけるＱｏＳ取得方法の一例を示す図である。
【図１３】一実施形態に係る無線通信システムの動作の一例を示す図である。
【図１４】一実施形態に係る無線通信システムの動作の一例を示す図である。
【発明を実施するための形態】
【００２１】
以下、図面を参照して本発明の実施の形態を説明する。ただし、以下に示す実施の形態は、あくまでも例示に過ぎず、以下に示す実施形態で明示しない種々の変形や技術の適用を排除する意図はない。即ち、実施形態及び各変形例を、本発明の趣旨を逸脱しない範囲で種々変形して実施できることはいうまでもない。
〔１〕一実施形態の説明
（１．１）無線通信システム
図２は一実施形態に係る無線通信システムの構成の一例を示す図である。
【００２２】
この図２に示す無線通信システム１００は、例示的に、端末（ＵＥ：User Equipment）２００−１，２００−２と、基地局３００と、リレー局４００とをそなえる。なお、以下では、端末２００−１，２００−２を区別しない場合、単に端末２００と表記する。また、例えば、端末２００はユーザによって移動可能で、その意味で、無線移動端末あるいは移動局（ＭＳ：Mobile Station）と同義である。さらに、端末２００，基地局３００，リレー局４００の数は、図２に例示する数にそれぞれ限定されない。また、以下では、基地局３００とリレー局４００との間の接続をリレーリンクと称し、基地局３００と端末２００との間の接続及びリレー局４００と端末２００との間の接続をアクセスリンクと称する。
【００２３】
ここで、基地局３００は、セルやセクタなどで構成される通信サービスエリア５００を提供し、当該通信サービスエリア５００内に位置する端末２００やリレー局４００と無線通信することができる。
例えば、基地局３００は、自局３００が提供する通信サービスエリア５００内に位置する端末２００−１とアクセスリンクを介して直接的に無線通信することができる。また、基地局３００は、自局３００が提供する通信サービスエリア５００内に位置するリレー局４００ともリレーリンクを介して直接的に無線通信することができる。
【００２４】
一方、基地局３００は、図２に示す状態では、端末２００−２とは直接的に無線通信することができない。端末２００−２は、基地局３００が提供する通信サービスエリア５００内に位置していないからである。
また、リレー局４００は、基地局３００と端末２００−２との間で送受信される無線信号を中継する。図２に示す例では、リレー局４００は、通信サービスエリアを拡大するような位置に配置されている。なお、リレー局４００は、所定の位置に固定的に配置されてもよいし、移動可能であってもよい。リレー局４００が移動局として構成される場合、リレー局４００が提供する通信サービスエリア６００も移動することになる。
【００２５】
例えば、リレー局４００は、基地局３００から受信した無線信号を、自局４００が提供する通信サービスエリア６００内に位置する端末２００−２へアクセスリンクを介して中継送信することができる。さらに、リレー局４００は、自局４００が提供する通信サービスエリア６００内に位置する端末２００−２から受信した無線信号を、リレーリンクを介して基地局３００へ中継送信することができる。
【００２６】
そして、端末２００−１は、自局２００−１が属する通信サービスエリア５００を提供する基地局３００とアクセスリンクを介して直接的に無線通信することができる。また、端末２００−２は、自局２００−２が属する通信サービスエリア６００を提供するリレー局４００を介して、間接的に、基地局３００と無線通信することができる。
以下、端末２００，基地局３００及びリレー局４００の構成の一例について説明する。なお、端末２００，基地局３００及びリレー局４００の各構成については、ＬＴＥの仕様に倣って説明するが、あくまで一例であり、本発明は以下に示すような構成に限定されないのはいうまでもない。
【００２７】
（１．２）端末２００
図３は一実施形態に係る端末２００の構成の一例を示す図である。
この図３に示す端末２００は、例示的に、受信アンテナ２０１と、送信アンテナ２０２と、無線部２０３と、端末側処理部２２２とをそなえる。
受信アンテナ２０１は、無線信号を受信する。受信アンテナ２０１で受信される無線信号には、例えば、基地局３００またはリレー局４００から送信された無線信号が含まれる。
【００２８】
即ち、受信アンテナ２０１は、後述するように、あるタイミングを基準とした複数の期間の経過毎に、それぞれの期間に対応する呼についてリレー局４００で実行される再接続処理の開始から所定時間の経過前にリレー局４００が基地局３００と再接続できない場合、前記所定時間の経過によりリレー局４００から送信される、呼切断を通知するメッセージを受信する受信部の一例として機能し得る。
【００２９】
また、送信アンテナ２０２は、無線信号を送信する。送信アンテナ２０２で送信された無線信号は、例えば、基地局３００またはリレー局４００で受信される。
なお、受信アンテナ２０１及び送信アンテナ２０２は、アンテナ共用器などにより共用化されてもよい。
無線部２０３は、受信アンテナ２０１で受信した高周波信号をベースバンド信号へ変換する一方、生成したベースバンド信号を高周波信号へ変換して送信アンテナ２０２を介して送信する。
【００３０】
端末側処理部２２２は、端末２００における各種の処理を実行する。例えば、端末側処理部２２２は、リレー局４００からの呼切断を通知するメッセージに応じて、対応する呼の呼切断処理を実行する第２の処理装置の一例として機能し得る。
このため、端末側処理部２２２は、例示的に、レイヤ１処理部２０４と、レイヤ２処理部２０５と、ＲＲＣレイヤ処理部２０６と、アプリケーションレイヤ処理部２０７とをそなえる。
【００３１】
レイヤ１処理部２０４は、受信信号及び送信信号について、レイヤ１での所定のデータ処理を行なう。このため、レイヤ１処理部２０４は、例示的に、測定部２０８と、Fast Fourier Transform（ＦＦＴ）部２０９と、復調部２１０と、デレートマッチング部２１１と、Hybrid Automatic Repeat reQuest（ＨＡＲＱ）合成部２１２とをそなえる。また、レイヤ１処理部２０４は、例示的に、ターボ復号部２１３と、Cyclic Redundancy Check（ＣＲＣ）処理部２１４とをそなえるとともに、Inverse FFT（ＩＦＦＴ）部２１５と、サブキャリアマッピング部２１６とをそなえる。さらに、レイヤ１処理部２０４は、例示的に、Discrete Fourier Transform（ＤＦＴ）部２１７と、変調部２１８と、レートマッチング部２１９と、ターボ符号化部２２０と、ＣＲＣ付与部２２１とをそなえる。
【００３２】
ここで、ＦＦＴ部２０９は、無線部から入力される受信信号について高速フーリエ変換処理を施し、Orthogonal Frequency Division Multiple Access（ＯＦＤＭＡ）シンボルを復調する。ＦＦＴ部２０９によって復調されたＯＦＤＭＡシンボルは、復調部２１０へ出力される。
また、測定部２０８は、受信信号の受信品質レベルの測定を行なう。例えば、測定部２０８は、受信信号の受信品質レベルと所定のレベル閾値とを比較判定することにより、アクセスリンクでのリンク異常を検出することができる。また、測定部２０８は、例えば、セルサーチ機能を具備してもよい。
【００３３】
さらに、復調部２１０は、ＦＦＴ部２０９から入力される、多値変調済みのシンボルを復調する。なお、多値変調には、例えば、Quadrature Phase Shift Keying（ＱＰＳＫ），１６Quadrature Amplitude Modulation（１６ＱＡＭ）及び６４ＱＡＭなどがある。復調部２１０によって復調された信号はデレートマッチング部２１１へ出力される。
即ち、上記測定部２０８，ＦＦＴ部２０９及び復調部２１０は、例えば、直行周波数分割多重アクセス（ＯＦＤＭＡ）方式による復調処理を行なう復調ブロックの一例として機能する。
【００３４】
また、デレートマッチング部２１１は、復調部２１０から入力された信号について、割り当てられた物理チャネルリソースに応じて伸張あるいは縮小されているデータを元に戻す処理を施す。
ＨＡＲＱ合成部２１２は、デレートマッチング部２１１から入力された信号について、ＨＡＲＱ再送処理を行なうことにより、再送データの合成を行なう。
【００３５】
ターボ復号部２１３は、ＨＡＲＱ合成部２１２から出力されるターボ符号化されたデータについて、ターボ復号処理を施すことにより、データを復号する。
ＣＲＣ処理部２１４は、ＣＲＣ処理を行なうことにより、ターボ復号部２１３によって復号されたデータに誤りが含まれているかどうかを判定する。
即ち、上記デレートマッチング部２１１，ＨＡＲＱ合成部２１２，ターボ復号部２１３及びＣＲＣ処理部２１４は、例えば、受信信号の復号処理を行なう復号ブロックの一例として機能する。
【００３６】
また、ＣＲＣ付与部２２１は、送信データからＣＲＣコードを算出するとともに、送信データに算出したＣＲＣコードを付与して、ターボ符号化部２２０へ出力する。
ターボ符号化部２２０は、ＣＲＣ付与部２２１から入力されたデータについて、ターボ符号化処理を施す。
レートマッチング部２１９は、ターボ符号化部２２０から入力された信号について、割り当てられた物理チャネルリソースに応じてデータの伸張あるいは縮小する処理を施す。
【００３７】
即ち、上記レートマッチング部２１９，ターボ符号化部２２０及びＣＲＣ付与部２２１は、例えば、送信信号の符号化処理を行なう符号化ブロックの一例として機能する。
また、変調部２１８は、レートマッチング部２１９から入力された信号について、例えば、ＱＰＳＫ，１６ＱＡＭ，６４ＱＡＭなどの多値変調処理を施す。
ＤＦＴ部２１７は、変調部２１８によって多値変調された信号について、離散フーリエ変換処理を施すことによって、Single Carrier-Frequency Devision Multiple Access（ＳＣ−ＦＤＭＡ）変調を行なう。
【００３８】
サブキャリアマッピング部２１６は、ＤＦＴ部２１７によって変調された送信データを、予めネットワークなどから指定された物理チャネルリソースへ割り当てる。
ＩＦＦＴ部２１５は、サブキャリアマッピング部２１６によって物理チャネルリソースへ割り当てられた送信データについて、逆フーリエ変換処理を施す。
即ち、上記ＩＦＦＴ部２１５，サブキャリアマッピング部２１６，ＤＦＴ部２１７及び変調部２１８は、例えば、送信信号について、単一キャリア周波数分割多重アクセス（ＳＣ−ＦＤＭＡ）方式による変調処理を行なう変調ブロックの一例として機能する。
【００３９】
また、レイヤ２処理部２０５は、例えば、Media Access Control（ＭＡＣ）レイヤ，Radio Link Control（ＲＬＣ）レイヤ，Packet Data Convergence Protocol（ＰＤＣＰ）レイヤなどのサブレイヤからなり、各サブレイヤのフォーマットに応じて、データの分離結合処理を行なう。例えば、レイヤ２処理部２０５によって分離された制御データは、ＲＲＣレイヤ処理部２０６へ出力される一方、レイヤ２処理部２０５によって分離されたユーザデータは、アプリケーションレイヤ処理部２０７へ出力される。また、ＲＲＣレイヤ処理部２０６から入力された制御データとアプリケーションレイヤ処理部２０７から入力されたユーザデータとは、レイヤ２処理部２０５によって結合されてレイヤ１処理部２０４へ送出される。さらに、レイヤ２処理部２０５は、データの再送制御を行なうことができる。
【００４０】
ＲＲＣレイヤ処理部２０６は、無線リソースの制御や装置全体の制御を行なう。例えば、ＲＲＣレイヤ処理部２０６は、ページング、呼の確立や解放（切断）などを行なうRRC Connection制御機能，測定の管理、報告を行なうメジャーメント制御機能，ハンドオーバやリセレクションなどの接続切替制御を行なうモビリティ制御機能などを具備する。
また、アプリケーションレイヤ処理部２０７は、ユーザデータを処理する上位レイヤである。
【００４１】
（１．３）基地局３００
また、図４は一実施形態に係る基地局３００の構成の一例を示す図である。
この図４に示す基地局３００は、例示的に、受信アンテナ３０１と、送信アンテナ３０２と、無線部３０３と、基地局側処理部３２２とをそなえる。
受信アンテナ３０１は、無線信号を受信する。受信アンテナ３０１で受信される無線信号には、例えば、端末２００またはリレー局４００から送信された無線信号が含まれる。
【００４２】
また、送信アンテナ３０２は、無線信号を送信する。送信アンテナ３０２で送信された無線信号は、例えば、端末２００またはリレー局４００で受信される。
なお、受信アンテナ３０１及び送信アンテナ３０２は、アンテナ共用器などにより共用化されてもよい。
無線部３０３は、受信アンテナ３０１で受信した高周波信号をベースバンド信号へ変換する一方、生成したベースバンド信号を高周波信号へ変換して送信アンテナ３０２を介して送信する。
【００４３】
基地局側処理部３２２は、基地局３００における各種の処理を実行する。例えば、基地局側処理部３２２は、リレー局４００からの再接続処理要求に応じて、再接続処理を実行することができる。また、基地局側処理部３２２は、後述する所定の条件下ではリレー局４００からの再接続処理を許容しない制御を行なうことができる。
このため、基地局側処理部３２２は、例示的に、レイヤ１処理部３０４と、レイヤ２処理部３０５と、ＲＲＣレイヤ処理部３０６とをそなえる。
【００４４】
レイヤ１処理部３０４は、受信信号及び送信信号について、レイヤ１での所定のデータ処理を行なう。このため、レイヤ１処理部３０４は、例示的に、ＦＦＴ部３０７と、サブキャリアデマッピング部３０８と、Inverse DFT（ＩＤＦＴ）部３０９と、復調部３１０と、デレートマッチング部３１１と、ＨＡＲＱ合成部３１２と、ターボ復号部３１３と、ＣＲＣ処理部３１４とをそなえる。また、レイヤ１処理部３０４は、例示的に、ＩＦＦＴ部３１５と、サブキャリアマッピング部３１６と、変調部３１８と、レートマッチング部３１９と、ターボ符号化部３２０と、ＣＲＣ付与部３２１とをそなえる。
【００４５】
ここで、ＦＦＴ部３０７，復調部３１０，デレートマッチング部３１１，ＨＡＲＱ合成部３１２，ターボ復号部３１３及びＣＲＣ処理部３１４は、端末２００におけるＦＦＴ部２０９，復調部２１０，デレートマッチング部２１１，ＨＡＲＱ合成部２１２，ターボ復号部２１３及びＣＲＣ処理部２１４とそれぞれ同様の構成及び機能を具備する。
また、ＩＦＦＴ部３１５，サブキャリアマッピング部３１６，変調部３１８，レートマッチング部３１９，ターボ符号化部３２０及びＣＲＣ付与部３２１は、端末２００におけるＩＦＦＴ部２１５，サブキャリアマッピング部２１６，変調部２１８，レートマッチング部２１９，ターボ符号化部２２０及びＣＲＣ付与部２２１とそれぞれ同様の構成及び機能を具備する。
【００４６】
さらに、レイヤ２処理部３０５は、端末２００におけるレイヤ２処理部２０５と同様の構成及び機能を具備する。
レイヤ１及びレイヤ２におけるデータ処理については、端末２００におけるレイヤ１及びレイヤ２におけるデータ処理と送受信処理を逆にした形になっている。
基地局３００では、サブキャリアデマッピング部３０８によって、ＦＦＴ部３０７によるＦＦＴ処理後の信号について、ユーザ毎のデータ分離処理が行なわれ、各ユーザのデータがユーザ単位で復調、復号処理される。
【００４７】
なお、ＩＤＦＴ部３０９は、サブキャリアデマッピング部３０８によってユーザ分離後のデータについて、逆離散フーリエ変換処理を施すことによって、ＳＣ−ＦＤＭＡ復調を行なう。
また、サブキャリアマッピング部３１６によって、ＩＦＦＴ部３１５によるＩＦＦＴ処理前の信号について、ユーザ毎のデータ多重処理が行なわれ、各ユーザのデータがユーザ単位で符号化、変調処理される。
【００４８】
ＲＲＣレイヤ処理部３０６は、無線リソースの制御や装置全体の制御を行なう。例えば、ＲＲＣレイヤ処理部２０６は、ページング、呼の確立や解放などを行なうRRC Connection制御機能，測定の管理、報告を行なうメジャーメント制御機能，ハンドオーバやリセレクションなどの接続切替制御を行なうモビリティ制御機能のほか、報知情報の生成、更新を行う報知情報制御機能などを具備する。
【００４９】
また、レイヤ２処理部３０５及びＲＲＣレイヤ処理部３０６は、基地局３００の上位ノードと接続され、コアネットワークとのデータ送受信が行なわれる。なお、基地局３００の上位ノードとしては、例えば、ゲートウェイ装置などがある。
（１．４）リレー局４００
既述のように、ＬＴＥ−Ａ方式の無線通信システムでは、端末２００と基地局３００との間で送受信される無線信号を中継するリレー局４００の導入が検討されている。
【００５０】
このＬＴＥ−Ａ方式では、ＬＴＥ方式との互換性を備えることを前提として検討が進められており、ＬＴＥ方式の端末２００がＬＴＥ−Ａ方式のリレー局４００に接続できるようにするため、ＬＴＥ方式の端末２００からはＬＴＥ方式の基地局３００とＬＴＥ−Ａリレー局４００との区別がないように（リレー局４００は基地局３００と同じ扱いになるように）、リレー局４００は設計されるものとしてもよい。
【００５１】
また、リレー局には、受信信号を単純増幅して送信するAmplify and Forward（ＡＦ）型リレー局と、受信信号を復調、復号してユーザ多重、分離などデータの再構築を行ない、符号化、変調して送信するDecode and Forward（ＤＦ）型リレー局とがある。
本例では、例えば、ＤＦ型リレー局を用いる。
図５は一実施形態に係るリレー局４００の構成の一例を示す図である。
【００５２】
この図５に示すリレー局４００は、例示的に、端末側受信アンテナ４０１と、端末側送信アンテナ４０２と、無線部４０３と、リレー局側処理部４２１と、無線部４１０と、基地局側送信アンテナ４１１と、基地局側受信アンテナ４１２とをそなえる。
ここで、リレー局側処理部４２１は、リレー局４００における各種の処理を実行する。例えば、リレー局側処理部４２１は、リレーリンク異常の検出などのあるタイミングを基準とした複数の期間の経過毎に、それぞれの期間に対応する呼について、基地局３００との間の再接続処理を実行する第１の処理装置として機能し得る。
【００５３】
このため、リレー局側処理部４２１は、例示的に、レイヤ１処理部４０４と、レイヤ２処理部４０５と、ＲＲＣレイヤ処理部４０６と、データ処理部４０７と、レイヤ２処理部４０８と、レイヤ１処理部４０９とをそなえる。
なお、端末側受信アンテナ４０１，端末側送信アンテナ４０２，無線部４０３，レイヤ１処理部４０４及びレイヤ２処理部４０５は、基地局３００における受信アンテナ３０１，送信アンテナ３０２，無線部３０３，レイヤ１処理部３０４，レイヤ２処理部３０５とそれぞれ同様の構成及び機能を具備する。
【００５４】
また、レイヤ２処理部４０８，レイヤ１処理部４０９，無線部４１０，基地局側送信アンテナ４１１及び基地局側受信アンテナ４１２は、端末２００におけるレイヤ２処理部２０５，レイヤ１処理部２０４，無線部２０３，送信アンテナ２０１及び受信アンテナ２０２とそれぞれ同様の構成及び機能を具備する。
リレー局４００と端末２００との接続は、基本的に、基地局３００と端末２００との接続方法と同様であり、リレー局４００と基地局３００との接続は、端末２００と基地局３００との接続方法と同様である。
【００５５】
ＲＲＣレイヤ処理部４０６は、端末２００のＲＲＣレイヤ処理部２０６が具備する機能と、基地局３００のＲＲＣレイヤ処理部３０６が具備する機能とを有する。例えば、ＲＲＣレイヤ処理部４０６は、他の基地局３００や、他のセルあるいは他のセクタへ接続先を切り替える再接続処理機能を具備する。
また、データ処理部４０７は、端末２００から基地局３００へ中継されるデータについて、複数ユーザのデータを結合し、一括で基地局３００へ転送する。一方、基地局３００から端末２００へ中継されるデータについては、ユーザ毎にデータを分離して各端末２００へ配信する。即ち、データ処理部４０７は、リレー局４００内でデータの再構築を行なう。
【００５６】
ここで、既述のように、端末２００は、無線信号の受信品質に基づき、基地局３００との接続状態を監視し、通信の維持に支障をきたすレベルまで受信品質が劣化し、さらに、一定時間内に当該状態が復旧しない場合、ＲＬＦの発生を検出し、他の基地局３００や、他のセルあるいは他のセクタなどへ接続先を切り替える再接続処理を実施する。
リレー局４００も、端末２００と同様に基地局３００に無線伝搬路を介して接続されるため、上記のようなＲＬＦ判定処理（以下、同期判定処理ともいう）を行なう。
【００５７】
ただ、リレー局４００は、自局４００の配下にサービス品質（ＱｏＳ）の異なる複数の端末２００を有することがあるため、端末２００における上記制御をそのまま適用した場合、以下のような不具合が発生し得る。
図６はパケット通信呼を利用中の端末２００と音声呼を利用中の端末２００とを配下に収容しているリレー局４００が、前述の同期判定処理をパケット通信呼にあわせて行なった場合の例である。なお、説明を簡単にするため、各端末２００からはリレー局４００が常に良い状態（つまり受信品質レベルが適当である状態）で見えており、端末２００は、リレー局４００との間のアクセスリンクのリンク異常検出を検出しないものとする。
【００５８】
図６に例示するように、まず、リレー局４００がリレーリンクの異常を検出すると、リレーリンクの状態復旧監視を行ない、状態復旧監視タイマの満了に伴い、再接続処理を行なう。このとき、状態復旧監視タイマの上限値はパケット通信呼にあわせて、Ｔ３１５（１８０秒）相当に設定されているとする。
リレー局４００は、ＲＬＦを検出後、基地局３００との再接続を試みる。このとき、再接続処理に失敗すると、基地局３００とのリレーリンクが切断される。また、これに伴い、リレー局４００の配下の呼も切断される。
【００５９】
リレー局４００においてリレーリンクの異常が検出されてから、再接続処理が失敗するまでの間、リレー局４００配下の端末２００では、データの送受信が滞る状態となる。したがって、端末２００はリンク異常の状態ではないが、サービス品質は劣化して、リンク異常検出時と同様の状態となる。
このとき、パケット通信呼を利用中の端末２００は、自局２００が基地局３００に直接接続していて、リンク異常を検出し、再接続に失敗した時と、同等の処理時間（Ｔ３１５＋再接続時間）で呼切断されることになり、サービス品質としては変わらない。
【００６０】
しかしながら、音声呼を利用中の端末２００は、自局２００が基地局３００に直接接続していて再接続処理を行なった場合に比して、長い間データの送受信が滞る状態（すなわち、無音状態）が続き、サービス品質としては劣化することになる。
以上から、端末２００がどの基地局３００及びリレー局４００に接続していても、ユーザに均一のサービス品質を提供するためには、リレー局４００での同期判定処理をリレー局４００の配下の端末２００のサービス種別を考慮して行なうことが求められる。
【００６１】
ここで、一実施形態に係るリレー局４００の構成の一例を図７に示す。
この図７に示すリレー局４００は、例示的に、基地局側受信アンテナ４１２と、リレー局側処理部４２１と、端末側送信アンテナ４０２とをそなえる。
ここで、リレー局側処理部４２１は、リレー局４００における各種の処理を実行する。例えば、リレー局側処理部４２１は、リレーリンク異常の検出などのあるタイミングを基準とした複数の期間の経過毎に、それぞれの期間に対応する呼について、基地局３００との間の再接続処理を実行する第１の処理装置として機能し得る。
【００６２】
このため、リレー局側処理部４２１は、例示的に、リレーリンクデータ受信部４１３と、リレーリンク受信品質測定部４１４と、リレー局制御部４１５と、アクセスリンクデータ送信部４１６とをそなえる。
なお、リレーリンクデータ受信部４１３及びリレーリンク受信品質測定部４１４の各機能は、レイヤ１処理部４０９により実現される機能の一例であり、リレー局制御部４１５の機能は、ＲＲＣレイヤ処理部４０６により実現される機能の一例である。また、アクセスリンクデータ送信部４１６の機能は、レイヤ１処理部４０４により実現される機能の一例である。
【００６３】
リレーリンクデータ受信部４１３は、基地局３００からの信号を受信し、所定の受信処理を施して、リレー局制御部４１５へ出力する。また、リレーリンクデータ受信部４１３は、受信信号から受信品質の測定に用いるデータを抽出して、リレーリンク受信品質測定部４１４へ出力する。
リレーリンク受信品質測定部４１４は、リレーリンクデータ受信部４１３から入力される、受信品質の測定に用いるデータに基づいて、受信信号の受信品質を測定、監視する。リレーリンク受信品質測定部４１４での測定結果は、リレー局制御部４１５へ出力される。
【００６４】
リレー局制御部４１５は、リレー局４００におけるリンク接続を制御する。このため、リレー局制御部４１５は、例示的に、第１同期判定部４１７と、第２同期判定部４１８と、呼接続管理部４１９と、リレーリンク接続制御部４２０とをそなえる。
第１同期判定部４１７は、リレーリンク受信品質測定部４１４での測定結果に基づき、リレー局４００と基地局３００との間のリレーリンクでリンク異常が発生していないかどうかを検出する。また、第１同期判定部４１７は、リンク異常検出時の状態復旧監視や、ＲＬＦ判定処理を行なう。
【００６５】
具体的には例えば、第１同期判定部４１７は、リレーリンクの異常を検出すると、端末２００が利用する通信サービスの優先度毎に状態復旧監視タイマを起動し、複数の状態復旧監視処理を開始する。
いずれかの状態復旧監視タイマ値が満了し、いずれかの通信サービスに対応するリンクについてＲＬＦが検出されると、当該検出結果がリレーリンク接続制御部４２０へ通知される。なお、状態復旧監視タイマの各タイマ値を決定するための通信サービスの優先度（あるいは通信サービスの種別、ＱｏＳなど）に関する情報は呼接続管理部４１９から通知されてもよい。
【００６６】
リレーリンク接続制御部４２０は、第１同期判定部４１７からのＲＬＦ検出結果に基づいて、再接続処理を実行すべく、リレーリンクデータ受信部４１３へ再接続先のセル検出のため、対象周波数の指定など物理チャネル設定を指示する。
なお、リレーリンク接続制御部４２０による再接続処理中も状態復旧監視処理は継続して行なうことができる。再接続処理では、新規セルを検出し、当該新規セルにおける受信品質を測定し、第２同期判定部４１８によって新規セルでの同期確立を判定し、当該判定結果をリレーリンク接続制御部４２０へ報告し、同期が確立できていればその新規セルへ接続先を移行する。その際、リレーリンク接続制御部４２０は、第１同期判定部４１７へ状態復旧監視処理およびＲＬＦ判定処理の停止を指示することもできる。
【００６７】
即ち、第２同期判定部４１８は、リレーリンクデータ受信部４１３のセルサーチ機能によって検出された新規セルに対して、同期判定処理を行なう。
再接続処理に失敗した場合、リレーリンク接続制御部４２０は、リレーリンクデータ受信部４１３へ検出対象セルでの受信を停止するよう指示してもよい。さらに、リレーリンク接続制御部４２０は、呼接続管理部４１９へ再接続失敗を通知することができる。
【００６８】
ここで、再接続失敗の通知を受けた呼接続管理部４１９は、対応する端末２００の呼切断処理を行なう。例えば、呼接続管理部４１９は、呼切断メッセージとしてRRC Connection Releaseメッセージ（呼の呼切断を通知するメッセージ）を生成し、アクセスリンクデータ送信部４１６、端末側送信アンテナ４０２を介して端末２００へ上記呼切断メッセージを送信する。
【００６９】
また、第１同期判定部４１７により状態復旧が検出され、かつ、いずれかのタイマ値が満了している場合、動作中のＲＬＦ判定処理を停止するとともに、再接続処理を停止させるため、リンク状態が復旧したことをリレーリンク接続制御部４２０へ通知する。通知を受けたリレーリンク接続制御部４２０は、実行中の再接続処理を停止してもよい。
そして、リレー局４００は、例えば、動作中の（タイマ値が満了していない）状態復旧監視タイマがある間、上記一連の処理を繰り返す。全ての状態復旧監視タイマがタイムアウトにより停止し、再接続処理も失敗した場合には、リレー局４００の配下の通信中の端末２００は全て呼切断され、リレー局４００と基地局３００との間のアクセスリンクは切断される。
【００７０】
呼接続管理部４１９は、リレー局４００の配下にどのような端末２００が接続されているか管理する。例えば、呼接続管理部４１９は、端末２００が利用中の通信サービスについての優先度、サービス種別、ＱｏＳなどを管理することができる。
なお、端末２００が利用する通信サービスに関する情報（優先度、サービス種別、ＱｏＳなど）は、図１１に例示するように、基地局３００と端末２００との間の通信を中継する時に、中継するメッセージを解析して該当するパラメータを取得しておくことができる（図１１中、取得パターンＡｌｔ１参照）。
【００７１】
即ち、端末２００から基地局３００へ接続要求メッセージ（RRC Connection Request）が送信されると（ステップＳ４０）、基地局３００から端末２００へ接続指示メッセージ（RRC Connection Setup）が発行される（ステップＳ４１）。
このとき、リレー局４００は、例えば、接続指示メッセージに含まれる、通信サービスに関する情報を抽出、解析する（ステップＳ４２）。取得された通信サービスに関する情報は、呼接続管理部４１９に通知される。
【００７２】
そして、端末２００から基地局３００へ接続完了メッセージ（RRC Connection Setup Complete）が返送され（ステップＳ４３）、当該接続完了メッセージを基地局３００が認識することで呼接続シーケンスが完了する。
あるいは、端末２００の通信サービスに関する情報（優先度、サービス種別、ＱｏＳなど）は、図１２に例示するように、基地局３００と端末２００との間での呼接続シーケンス完了後に、基地局３００から通知されてもよい（図１２中、取得パターンＡｌｔ２）。
【００７３】
即ち、端末２００から基地局３００へ接続要求メッセージ（RRC Connection Request）が送信されると、基地局３００から端末２００へ接続指示メッセージ（RRC Connection Setup）が発行される（ステップＳ５０）。
そして、端末２００から基地局３００へ接続完了メッセージ（RRC Connection Setup Complete）が返送され（ステップＳ５１）、当該接続完了メッセージを基地局３００が認識することで呼接続シーケンスが完了する。
【００７４】
その後、基地局３００からリレー局４００へ通信サービスに関する情報が通知される（ステップＳ５２）。
また、アクセスリンクデータ送信部４１６は、端末側送信アンテナ４０２を介して端末２００へデータを送信する。例えば、アクセスリンクデータ送信部４１６は、呼切断メッセージデータを符号化・変調し、端末２００へ通知することができる。
【００７５】
以上により、リレー局４００は、リレーリンク異常発生時に、端末２００が利用する通信サービスの優先度などに応じたタイミングで端末２００の各呼を切断できるので、端末２００に提供できるサービス品質を、端末２００が基地局３００に直接接続している場合と同程度に保つことができる。
（１．５）リレー局４００の動作例
ここで、上記リレー局４００の動作の一例である処理フローについて図８を用いて説明する。
【００７６】
この図８に示すように、まず、リレー局４００は、基地局３００との間でリレーリンクの接続を確立すると（ステップＳ２０）、リレー局４００と基地局３００との間のリレーリンクについて、受信品質の測定を定期あるいは不定期に行なう（ステップＳ２１）。なお、受信品質の測定は、例えば、リレーリンクにおけるＳＩＲ（Signal-to-Interference Ratio）やＰＳＮＲ（Peak Signal-to-Noise Ratio）などを測定することにより行なうことができる。そして、リレー局４００は、測定した受信品質と所定の閾値レベルとを比較し、受信品質が所定の閾値レベルよりも小さい場合にリンク異常を検出する（ステップＳ２２）。なお、リレー局４００は、例えば、受信品質が前記所定の閾値レベルよりも大きい他の閾値レベルよりもさらに大きい場合にリンク異常を検出してもよい。
【００７７】
ここで、リンク異常が検出されない場合（ステップＳ２２のＮＯルート）、リレー局４００は、ステップＳ２１及びＳ２２の処理を繰り返す。
一方、リンク異常を検出した場合（ステップＳ２２のＹＥＳルート）、リレー局４００は、リンク異常状態が復旧しないかどうかの監視を行なうため、端末２００が利用する通信サービスの優先度（あるいはサービス種別、ＱｏＳなど）に応じた複数の状態復旧監視タイマＴ１〜Ｔｎ（ｎは２以上の整数）を起動する（ステップＳ２３）。即ち、リレー局側処理装置４２１は、端末２００が利用する通信サービスの優先度に基づいて、リレー局４００がリレーリンクの状態異常を検出してからＲＬＦの発生までのそれぞれの期間を設定することができる。
【００７８】
例えば、状態復旧監視タイマＴ１〜Ｔｎは、端末２００が利用する通信サービスの優先度の種類に対応した数だけ用いられ、異なるタイマ値が設定される。なお、各タイマのタイムアウト時に各タイマ値間の差分をタイマに再設定することにより、１つのタイマを使いまわしてもよい。また、本例では、Ｔ１＜Ｔ２＜・・・＜Ｔｎとなっているが、もちろんタイマの設定はこれに限定されない。各状態復旧監視タイマは独立して動作し、各タイマが満了したり、リンク状態が復旧したり、あるいは、再接続処理が成功したりするまで各タイマは停止されない。図８に示す例では、ＱｏＳ＃１，ＱｏＳ＃２，・・・，ＱｏＳ＃ｎに対応して状態復旧監視タイマＴ１〜Ｔｎが用いられている。
【００７９】
次に、リレー局４００は、リレーリンクの状態が復旧したかどうかを監視する（ステップＳ２４）。例えば、リレー局４００は、測定した受信品質と前記所定の閾値レベルとを比較し、受信品質が前記所定の閾値レベル以上であるかどうかを監視する。なお、当該監視は、リンク異常状態が復旧したり、再接続処理に成功したり、あるいは、ｎ個の状態復旧監視タイマが全て満了したりするまで、継続して行なわれてもよい。
【００８０】
そして、リレー局４００は、リレーリンクの状態が復旧したかどうかを判定する（ステップＳ２５）。ここで、リレーリンク状態の復旧を検出した場合（ステップＳ２５のＹＥＳルート）、リレー局４００は、端末２００のサービス種別毎のＲＬＦ判定処理や、再接続処理の停止などを行ない（ステップＳ２６）、処理をステップＳ２１へ移行する。
即ち、リレー局側処理部４２１は、リレーリンクの状態異常が復旧した場合、各再接続処理を停止することができる。これにより、リレー局４００での処理負荷を低減することが可能となる。
【００８１】
一方、リレーリンクの状態が復旧しない場合（ステップＳ２５のＮＯルート）、リレー局４００は、端末２００の各サービス種別に応じた複数の状態復旧監視タイマＴ１〜Ｔｎに基づき、端末２００のサービス種別（ＱｏＳ＃１〜ＱｏＳ＃ｎ）毎にＲＬＦ判定処理（同期判定処理）を行なう。
ＱｏＳ＃１についてのＲＬＦ判定処理に着目すると、まず、リレー局４００は、タイマＴ１が動作中であって、満了していないかどうかを判定する（ステップＳ２７）。タイマＴ１が動作中でないか、あるいは、満了していると判定した場合（ステップＳ２７のＮＯルート）、リレー局４００は、処理をステップＳ２４へ移行し（符号Ａ参照）、リレーリンクの状態復旧を監視する。各タイマのいずれかが満了するまでに、リレーリンクの状態が復旧した場合、リレー局４００は、例えば、各ＱｏＳのＲＬＦ判定処理を全て停止し、通常の通信状態へ移行してもよい。
【００８２】
一方、タイマＴ１が動作中であって、満了していないと判定した場合（ステップＳ２７のＹＥＳルート）、リレー局４００は、タイマＴ１がタイムアウト（タイマ満了）したかどうかを判定する（ステップＳ２８）。タイマＴ１がタイムアウト（タイマ満了）していないと判定した場合（ステップＳ２８のＮＯルート）、リレー局４００は、処理をステップＳ２４へ移行し（符号Ａ参照）、リレーリンクの状態復旧を監視する。
【００８３】
ここで、タイマＴ１がタイムアウト（タイマ満了）したと判定した場合（ステップＳ２８のＹＥＳルート）、リレー局４００は、ＲＬＦの発生を検出し、他の基地局３００や、他のセルあるいは他のセクタなどへ接続を切り替える再接続処理を実施する（ステップＳ２９）。なお、再接続処理の実行中においても、タイマ満了していない起動中のタイマが存在する限り、リレーリンクの状態復旧の監視は並行して行なうことができる。
【００８４】
そして、リレー局４００は、再接続処理が成功したかどうかを判定し（ステップＳ３０）、成功と判定した場合は（ステップＳ３０のＹＥＳルート）、処理をステップＳ２６へ移行する（符号Ｂ参照）。一方、失敗と判定した場合は（ステップＳ３０のＮＯルート）、リレー局４００は、ＱｏＳ＃１に対応する端末２００について、呼を切断して通信を終了する（ステップＳ３１）。例えば、リレー局４００は、送信アンテナ４０２によって、対応する呼の呼切断を通知するメッセージを端末２００に送信することができる。
【００８５】
即ち、送信アンテナ４０２は、状態復旧監視タイマＴ１〜Ｔｎに対応する呼についての再接続処理の開始から所定時間の経過前にリレー局４００が基地局３００と再接続できない場合、該所定時間の経過により、対応する呼の呼切断を通知するメッセージを端末２００に送信する送信部の一例として機能する。
そして、受信アンテナ２０１によって、リレー局４００から上記の呼切断メッセージを受信した端末２００は、端末側処理部２２２によって、当該呼切断メッセージの受信に応じて、対応する呼の呼切断処理を実行する。また、通信を終了した端末２００は、例えば、待ち受け状態へ移行してもよい。
【００８６】
リレー局４００は、上記ステップＳ２７〜Ｓ３１の各処理を、ＱｏＳ毎に独立して行ない、全ての状態復旧監視タイマがタイムアウトしたかどうかを判定する（ステップＳ３２）。全ての状態復旧監視タイマがタイムアウトしていないと判定した場合（ステップＳ３２のＮＯルート）、リレー局４００は、処理をステップＳ２４へ移行し（符号Ａ参照）、リレーリンクの状態復旧を監視する。
【００８７】
一方、全ての状態復旧監視タイマがタイムアウトしたと判定した場合（ステップＳ３２のＹＥＳルート）、リレー局４００は、基地局３００との接続を切断して通信を終了する（ステップＳ３３）。このとき、リレーリンクは完全に切断され、リレー局４００は基地３００局と接続していない状態となり、端末２００は通信サービスエリアの圏外に位置する状態と同様の状態となる。なお、動作中のタイマが残っている場合、リレー局４００は、各ＱｏＳのＲＬＦ判定処理を継続して行なうことができる。
【００８８】
なお、上記ＲＬＦ判定処理及び再接続処理は、リレー局４００によって、ＱｏＳ毎に独立して行なわれてもよい。一方、状態復旧監視については、ＱｏＳに関わらず共通して行なわれてもよい。
以上のように、本例では、リレー局４００が、端末２００のサービス種別に応じて、複数のＲＬＦ判定処理を行なうので、リレーリンクに異常が検出された場合でも、例えば、ＱｏＳ毎に適切なタイミングで端末２００の呼を切断することができる。その結果、端末２００は、基地局３００と接続している場合と同様のサービス品質を提供されることができる。
【００８９】
例えば、複数の異なるサービス種別（ＱｏＳ＃１〜ＱｏＳ＃ｎ）の端末２００がリレー局４００と接続している場合を考える。
このとき、図９に例示するように、まず、リレー局４００は、リレーリンクの異常を検出すると、端末２００のサービス種別に応じた状態復旧監視タイマＴ１〜Ｔｎを起動する。
【００９０】
そして、ＱｏＳ＃１に対応する状態復旧監視タイマＴ１がタイムアウト（満了）すると、リレー局４００は、ＲＬＦを検出し、他のセルなどへ再接続処理を行なう。このとき、再接続処理が失敗すると、リレー局４００配下のＱｏＳ＃１のサービスを利用中の端末２００に対して、呼切断（解放）処理を行なう。
これにより、リレー局４００配下のＱｏＳ＃１のサービスを利用中の端末２００については、リレーリンクの異常検出時点からタイマＴ１の上限値と再接続処理に要する時間とが経過した時点で通信を終了し待ち受け状態へ移行することができる。
【００９１】
また、その後、ＱｏＳ＃２に対応する状態復旧監視タイマＴ２がタイムアウト（満了）すると、リレー局４００は、ＲＬＦを検出し、他のセルなどへ再接続処理を行なう。このとき、再接続処理が失敗すると、リレー局４００配下のＱｏＳ＃２のサービスを利用中の端末２００に対して、呼切断（解放）処理を行なう。
これにより、リレー局４００配下のＱｏＳ＃２のサービスを利用中の端末２００については、リレーリンクの異常検出時点からタイマＴ２の上限値と再接続処理に要する時間とが経過した時点で通信を終了し待ち受け状態へ移行することができる。
【００９２】
以下、リレー局４００は、他のサービス種別の端末２００についても同様の処理を順次行なう。
そして、ＱｏＳ＃ｎに対応する状態復旧監視タイマＴｎがタイムアウト（満了）すると、リレー局４００は、ＲＬＦを検出し、他のセルなどへ再接続処理を行なう。このとき、再接続処理が成功すると、リレー局４００配下のＱｏＳ＃ｎのサービスを利用中の端末２００は基地局３００との通信を継続することができる。
【００９３】
以上のように、リレーリンクに異常が検出された場合でも、ＱｏＳ毎に適切なタイミングで端末２００の呼を切断することができるので、端末２００は、基地局３００と接続している場合と同様のサービス品質を提供されることができる。
〔２〕第１変形例の説明
また、上記実施形態では、リレー局４００が、端末２００が利用するサービス種別に応じた数のＲＬＦ判定処理を行なう例について説明したが、例えば、リレー局４００は、ＱｏＳ管理を簡略化することにより、接続制御を単純化してもよい。
【００９４】
例えば、図１０に示すように、ある無線通信システム１００で、Voice over Internet Protocol（ＶｏＩＰ），Video Streaming，File Transfer Protocol（ＦＴＰ）及びHypertext Transfer Protocol（ＨＴＴＰ）の４つのサービスが提供されているとする。
上述した実施形態では、例えば、リレー局４００は、各サービスに対し、ＱｏＳ＃１，ＱｏＳ＃２，ＱｏＳ＃３，ＱｏＳ＃４のグループ割り当てを行ない、前記グループ毎にＲＬＦ判定処理を行なう。なお、ＱｏＳの優先順位は、例えば、ＱｏＳ＃１＞ＱｏＳ＃２＞ＱｏＳ＃３＞ＱｏＳ＃４の順で高いものとする。
【００９５】
この場合、各ＱｏＳグループに対してＲＬＦ判定処理及び再接続処理を行なうため、リレーリンクの切断が確定するまでに、最大４段階の手順を踏むことになる。再接続処理は、リレー局４００の処理負荷が増加するため、再接続処理の実施回数は少ない方がよい。
そこで、本例では、例えば、個々のＱｏＳ毎にＲＬＦ判定処理及び再接続処理を行なうのではなく、呼接続管理部４１９が複数のＱｏＳからなる大きなグループを生成し、リレー局制御部４１５が当該グループ単位で上記ＲＬＦ判定処理及び再接続処理を行なう。
【００９６】
即ち、リレー局側処理部４２１は、端末２００が利用する通信サービスの優先度を、前記優先度の種類よりも少ない複数のグループに割り当てるとともに、前記複数のグループの優先度に基づいて、状態復旧監視タイマＴ１〜Ｔｎの値を設定することができる。
図１０に示す例では、ＶｏＩＰとVideo Streamingとをグループ化してＱｏＳ＃１を割り当て、ＦＴＰとＨＴＴＰとをグループ化してＱｏＳ＃３を割り当てている。各ＱｏＳグループ内ではよりＱｏＳの高いサービス種別にＱｏＳ設定を合わせれば、ユーザの利便性を損ねることはない。
【００９７】
なお、グループ数及び１グループに含まれるサービス種別の数は、任意に設定してもよい。例えば、図１０に示す例では、各サービス種別を２個のグループに均等に割り当てたが、ＶｏＩＰにＱｏＳ＃１を割り当て、Video StreamingにＱｏＳ＃２を割り当て、ＦＴＰとＨＴＴＰとの２つのサービス種別にＱｏＳ＃３を割り当ててもよい。このように、各グループの優先度は、各グループに属する優先度のうち最も高い優先度とすることができる。
【００９８】
さらに、図１０に示す例では複数のサービス種別を１つのグループに割り当てる例について説明したが、例えば、１つのサービス種別について、さらに、多数のグループに分割してもよい。例えば、ＶｏＩＰを利用中の端末２００の数だけＱｏＳグループを用意し、端末２００毎に異なるＱｏＳグループを割り当ててもよい。これにより、リレー局４００の負荷は増加するが、より詳細な接続管理を行なうことができる。
【００９９】
〔３〕第２変形例の説明
一方、基地局３００は、リレー局４００の動作を監視するとともに、リレー局４００の配下の端末２００の管理を行なってもよい。
例えば、基地局３００は、リレー局４００との通信が途絶えてから一定時間が経過した場合に、リレー局４００との接続が切断したと判断し、リレー局４００の配下の端末２００に関するネットワーク管理情報を更新する。
【０１００】
基地局３００が、リレー局４００との接続断を判断するため、例えば、リレー局４００から定期的に既知の固定パターンデータを送信してもらい、当該固定パターンデータが正常に受信できなくなったことにより、判定することが可能である。
リレー局４００との接続が途絶えたと判断した場合、基地局３００は、リレー局４００からの再接続処理を許容する時間を設定してもよい。このとき、リレー局４００が再接続処理にかける最大時間は、リレー局４００の配下の端末２００のＱｏＳなどに依存するため、基地局３００側でも端末２００のＱｏＳを考慮して再接続処理についての許容時間を設定する。例えば、再接続処理についての許容時間は、リレー局４００がリレーリンクにおいてＲＬＦを検出してから最も長い状態復旧監視タイマ値が経過後、さらに再接続処理に要する所定時間としてもよい。
ここで、リレー局４００の再接続処理シーケンスの一例を図１３に示す。
【０１０１】
この図１３に示すように、まず、リレー局４００は、リレーリンクにおいてＲＬＦを検出すると（ステップＳ６２）、基地局３００との再接続処理を開始する（ステップＳ６３）。
一方、基地局３００は、リレー局４００との通信が途絶えたことを検出したら（ステップＳ６０）、リレー局４００からの再接続処理についての許容時間を設定し（ステップＳ６１）、リレー局４００からの再接続要求を待つ。このとき、再接続処理についての許容時間は、リレー局４００の配下の端末２００が利用するサービス種別（ＱｏＳ）を考慮して設定される。
【０１０２】
ここで、再接続処理の一例を図１４に示す。
この図１４に示すように、まず、リレー局４００は、新規セルを検出したかどうかを判定する（ステップＳ７１）。リレー局４００が新規セルを検出できなかったと判定した場合（ステップＳ７１のＮＯルート）、再接続処理は失敗する（ステップＳ７９）。
一方、リレー局４００が新規セルを検出した場合（ステップＳ７１のＹＥＳルート）、再接続要求メッセージ（RRC Connection Re-establishment Request）を基地局３００へ送信する（ステップＳ７２）。
【０１０３】
基地局３００は、リレー局４００から再接続要求メッセージを受信したかどうかを判定し（ステップＳ７３）、受信していれば（ステップＳ７３のＹＥＳルート）、再接続指示メッセージ（RRC Connection Re-establishment）をリレー局４００へ送信する（ステップＳ７４）。一方、リレー局４００から再接続要求メッセージを受信していないと判定した場合（ステップＳ７３のＮＯルート）、再接続処理は失敗する（ステップＳ７９）。
【０１０４】
リレー局４００は、基地局３００から再接続指示メッセージを受信したかどうかを判定し（ステップＳ７５）、受信していれば（ステップＳ７５のＹＥＳルート）、再接続完了メッセージ（RRC Connection Re-establishment Complete）を基地局３００へ送信する（ステップＳ７６）。一方、基地局３００から再接続指示メッセージを受信していないと判定した場合（ステップＳ７５のＮＯルート）、再接続処理は失敗する（ステップＳ７９）。
【０１０５】
基地局３００は、リレー局４００から再接続完了メッセージを受信したかどうかを判定し（ステップＳ７７）、受信していれば（ステップＳ７７のＹＥＳルート）、再接続処理が成功する（ステップＳ７８）。再接続が成功すれば、リレー局４００及び当該リレー局４００の配下の端末２００は通信を維持することができる。一方、リレー局４００から再接続完了メッセージを受信していないと判定した場合（ステップＳ７７のＮＯルート）、再接続処理は失敗する（ステップＳ７９）。
【０１０６】
再び図１３に戻り、基地局３００及びリレー局４００は、再接続処理が成功したかどうかを判定する（ステップＳ６４及びＳ６５）。そして、再接続処理が成功したと判定されれば（ステップＳ６４及びＳ６５のＹＥＳルート）、上記手順は終了する（ステップＳ６９及びＳ７０）。
一方、再接続処理が失敗したと判定されれば（ステップＳ６５のＮＯルート）、リレー局４００は、全ての状態復旧監視タイマが満了したかどうかを判定する（ステップＳ６７）。そして、動作中の状態復旧管理タイマが残っていれば（ステップＳ６７のＮＯルート）、上記の再接続処理を繰り返し実行し、全ての状態復旧監視タイマが満了したと判定すれば（ステップＳ６７のＹＥＳルート）、リレー局４００は、上記手順を終了する（ステップＳ７０）。
【０１０７】
また、再接続処理が失敗したと判定されれば（ステップＳ６４のＮＯルート）、基地局３００は、再接続処理についての許容時間が満了しているかどうかを判定する（ステップＳ６６）。ここで、再接続処理についての許容時間が満了していないと判定されれば（ステップＳ６６のＮＯルート）、基地局３００は、リレー局４００からの再接続要求メッセージを待つ。
【０１０８】
一方、再接続処理についての許容時間が満了したと判定されれば（ステップＳ６６のＹＥＳルート）、基地局３００は、再接続が失敗してネットワークとの接続がなくなったと判断し、リレー局４００及び当該リレー局４００の配下の端末２００のネットワーク管理情報をクリアし、基地局３００が管理する端末管理情報を更新し（ステップＳ６８）、上記手順を終了する（ステップＳ６９）。
【０１０９】
以上のように、基地局３００は、再接続処理についての許容時間が経過した場合、リレー局４００からの再接続処理を許容しないことができるので、基地局３００における処理負荷を低減して効率的なシステム運用を実現することが可能となる。
〔４〕その他
なお、上述した前記一実施形態における基地局３００，端末２００及びリレー局４００の各構成及び各機能は、必要に応じて取捨選択してもよいし、適宜組み合わせて用いてもよい。即ち、本発明の機能を発揮できるように、上記の各構成及び各機能を取捨選択したり、適宜組み合わせて用いたりしてもよい。
【０１１０】
例えば、状態復旧監視タイマの各タイムアウト値は、端末２００が利用中のサービスの優先度に基づいて決定されるが、サービスの優先度を示す指標としては、例えば、サービス品質（ＱｏＳ）や、サービス種別などがある。また、サービスの優先度は、例えば、パケットデータが有するヘッダ内容や、データ内容などに基づいて決定されてもよい。
【符号の説明】
【０１１１】
１００  無線通信システム
２００，２００−１，２００−２  端末
３００  基地局
２０１，３０１  受信アンテナ
２０２，３０２  送信アンテナ
２０３，３０３，４０３，４１０  無線部
２０４，３０４，４０４，４０９  レイヤ１処理部
２０５，３０５，４０５，４０８  レイヤ２処理部
２０６，３０６，４０６  ＲＲＣレイヤ処理部
２０７  アプリケーションレイヤ処理部
２０８  測定部
２０９，３０７  ＦＦＴ部
２１０，３１０  復調部
２１１，３１１  デレートマッチング部
２１２，３１２  ＨＡＲＱ合成部
２１３，３１３  ターボ復号部
２１４，３１４  ＣＲＣ処理部
２１５，３１５  ＩＦＦＴ部
２１６，３１６  サブキャリアマッピング部
２１７  ＤＦＴ部
２１８，３１８  変調部
２１９，３１９  レートマッチング部
２２０，３２０  ターボ符号化部
２２１，３２１  ＣＲＣ付与部
２２２  端末側処理部
３０８  サブキャリアデマッピング部
３０９  ＩＤＦＴ部
３２２  基地局側処理部
４００  リレー局
４０１  端末側受信アンテナ
４０２  端末側送信アンテナ
４０７  データ処理部
４１１  基地局側送信アンテナ
４１２  基地局側受信アンテナ
４１３  リレーリンクデータ受信部
４１４  リレーリンク受信品質測定部
４１５  リレー局制御部
４１６  アクセスリンクデータ送信部
４１７  第１同期判定部
４１８  第２同期判定部
４１９  呼接続管理部
４２０  リレーリンク接続制御部
４２１  リレー局側処理部
５００  基地局の通信サービスエリア
６００  リレー局の通信サービスエリア
【図１】
2012035646.tif 000003
【図２】
2012035646.tif 000004
【図３】
2012035646.tif 000005
【図４】
2012035646.tif 000006
【図５】
2012035646.tif 000007
【図６】
2012035646.tif 000008
【図７】
2012035646.tif 000009
【図８】
2012035646.tif 000010
【図９】
2012035646.tif 000011
【図１０】
2012035646.tif 000012
【図１１】
2012035646.tif 000013
【図１２】
2012035646.tif 000014
【図１３】
2012035646.tif 000015
【図１４】
2012035646.tif 000016
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
基地局と、端末と、該基地局と該端末との間で送受信される無線信号を中継するリレー局とを含む無線通信システムにおいて、
該リレー局は、
あるタイミングを基準とした複数の期間の経過毎に、それぞれの期間に対応する呼について、該基地局との間の再接続処理を実行する第１の処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえ、
該端末は、
該リレー局から送信された前記メッセージを受信する受信部と、
前記メッセージの受信に応じて、対応する呼の呼切断処理を実行する第２の処理装置と、をそなえた、
ことを特徴とする、無線通信システム。
【請求項２】
前記第１の処理装置は、
該端末が利用する通信サービスの優先度に基づいて、前記それぞれの期間を設定する、
ことを特徴とする、請求項１記載の無線通信システム。
【請求項３】
前記第１の処理装置は、
該端末が利用する通信サービスの優先度を、前記優先度の種類よりも少ない複数のグループに割り当てるとともに、
前記複数のグループの優先度に基づいて、前記それぞれの期間を設定する、
ことを特徴とする、請求項１記載の無線通信システム。
【請求項４】
前記複数のグループの優先度は、前記複数のグループに割り当てられた前記優先度のうち最も高い優先度である、
ことを特徴とする、請求項３記載の無線通信システム。
【請求項５】
前記あるタイミングを基準とした期間は、該リレー局が接続中の該基地局との間の無線通信区間の状態の異常を検出してからＲＬＦ（Radio Link Failure）の発生までの期間である、
ことを特徴とする、請求項１〜４のいずれか１項に記載の無線通信システム。
【請求項６】
前記第１の処理装置は、
該リレー局が接続中の該基地局との間の無線通信区間の状態の異常が復旧した場合、前記それぞれの期間に対応する呼についての前記再接続処理を停止する、
ことを特徴とする、請求項１〜５のいずれか１項に記載の無線通信システム。
【請求項７】
該基地局は、
前記あるタイミングを基準とした複数の期間のうち最も長い期間が経過後さらに前記所定時間が経過した場合、前記再接続処理を許容しない、
ことを特徴とする、請求項１〜６のいずれか１項に記載の無線通信システム。
【請求項８】
基地局と端末との間で送受信される無線信号を中継するリレー局において、
あるタイミングを基準とした複数の期間の経過毎に、それぞれの期間に対応する呼について、該基地局との間の再接続処理を実行する処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえた、
ことを特徴とする、リレー局。
【請求項９】
リレー局を介して基地局との間で無線信号を送受信する端末において、
あるタイミングを基準とした複数の期間の経過毎に、それぞれの期間に対応する呼について該リレー局で実行される再接続処理の開始から所定時間の経過前に該リレー局が該基地局と再接続できない場合、該所定時間の経過により該リレー局から送信される、呼切断を通知するメッセージを受信する受信部と、
前記メッセージの受信に応じて、対応する呼の呼切断処理を実行する処理装置と、をそなえた、
ことを特徴とする、端末。
【請求項１０】
基地局と、端末と、該基地局と該端末との間で送受信される無線信号を中継するリレー局とを含む無線通信システムに用いられる無線通信方法において、
該リレー局は、
あるタイミングを基準とした複数の期間の経過毎に、それぞれの期間に対応する呼について、該基地局との間の再接続処理を実行し、
前記それぞれの期間に対応する呼についての前記再接続処理の開始から所定時間の経過前に該基地局と再接続できない場合、該所定時間の経過により、対応する呼の呼切断を通知するメッセージを該端末に送信し、
該端末は、
該リレー局から送信された前記メッセージを受信し、
前記メッセージの受信に応じて、対応する呼の呼切断処理を実行する、
ことを特徴とする、無線通信方法。
【手続補正２】
【補正対象書類名】明細書
【補正対象項目名】０１１０
【補正方法】変更
【補正の内容】
【０１１０】
例えば、状態復旧監視タイマの各タイムアウト値は、端末２００が利用中のサービスの優先度に基づいて決定されるが、サービスの優先度を示す指標としては、例えば、サービス品質（ＱｏＳ）や、サービス種別などがある。また、サービスの優先度は、例えば、パケットデータが有するヘッダ内容や、データ内容などに基づいて決定されてもよい。
〔５〕付記
（付記１）
基地局と、端末と、該基地局と該端末との間で送受信される無線信号を中継するリレー局とを含む無線通信システムにおいて、
該リレー局は、
あるタイミングを基準とした複数の期間の経過毎に、それぞれの期間に対応する呼について、該基地局との間の再接続処理を実行する第１の処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえ、
該端末は、
該リレー局から送信された前記メッセージを受信する受信部と、
前記メッセージの受信に応じて、対応する呼の呼切断処理を実行する第２の処理装置と、をそなえた、
ことを特徴とする、無線通信システム。
（付記２）
前記第１の処理装置は、
該端末が利用する通信サービスの優先度に基づいて、前記それぞれの期間を設定する、
ことを特徴とする、付記１記載の無線通信システム。
（付記３）
前記第１の処理装置は、
該端末が利用する通信サービスの優先度を、前記優先度の種類よりも少ない複数のグループに割り当てるとともに、
前記複数のグループの優先度に基づいて、前記それぞれの期間を設定する、
ことを特徴とする、付記１記載の無線通信システム。
（付記４）
前記複数のグループの優先度は、前記複数のグループに割り当てられた前記優先度のうち最も高い優先度である、
ことを特徴とする、付記３記載の無線通信システム。
（付記５）
前記あるタイミングを基準とした期間は、該リレー局が接続中の該基地局との間の無線通信区間の状態の異常を検出してからＲＬＦ（Radio Link Failure）の発生までの期間である、
ことを特徴とする、付記１〜４のいずれか１項に記載の無線通信システム。
（付記６）
前記第１の処理装置は、
該リレー局が接続中の該基地局との間の無線通信区間の状態の異常が復旧した場合、前記それぞれの期間に対応する呼についての前記再接続処理を停止する、
ことを特徴とする、付記１〜５のいずれか１項に記載の無線通信システム。
（付記７）
該基地局は、
前記あるタイミングを基準とした複数の期間のうち最も長い期間が経過後さらに前記所定時間が経過した場合、前記再接続処理を許容しない、
ことを特徴とする、付記１〜６のいずれか１項に記載の無線通信システム。
（付記８）
基地局と端末との間で送受信される無線信号を中継するリレー局において、
あるタイミングを基準とした複数の期間の経過毎に、それぞれの期間に対応する呼について、該基地局との間の再接続処理を実行する処理装置と、
前記それぞれの期間に対応する呼についての前記再接続処理の開始から所定時間の経過前に該基地局と再接続できない場合、該所定時間の経過により、対応する呼の呼切断を通知するメッセージを該端末に送信する送信部と、をそなえた、
ことを特徴とする、リレー局。
（付記９）
前記処理装置は、
該端末が利用する通信サービスの優先度に基づいて、前記それぞれの期間を設定する、
ことを特徴とする、付記８記載のリレー局。
（付記１０）
前記処理装置は、
該端末が利用する通信サービスの優先度を、前記優先度の種類よりも少ない複数のグループに割り当てるとともに、
前記複数のグループの優先度に基づいて、前記それぞれの期間を設定する、
ことを特徴とする、付記８記載のリレー局。
（付記１１）
前記複数のグループの優先度は、前記複数のグループに割り当てられた前記優先度のうち最も高い優先度である、
ことを特徴とする、付記１０記載のリレー局。
（付記１２）
前記あるタイミングを基準とした期間は、該リレー局が接続中の該基地局との間の無線通信区間の状態の異常を検出してからＲＬＦ（Radio Link Failure）の発生までの期間である、
ことを特徴とする、付記８〜１１のいずれか１項に記載のリレー局。
（付記１３）
前記処理装置は、
該リレー局が接続中の該基地局との間の無線通信区間の状態の異常が復旧した場合、前記それぞれの期間に対応する呼についての前記再接続処理を停止する、
ことを特徴とする、付記８〜１２のいずれか１項に記載のリレー局。
（付記１４）
リレー局を介して基地局との間で無線信号を送受信する端末において、
あるタイミングを基準とした複数の期間の経過毎に、それぞれの期間に対応する呼について該リレー局で実行される再接続処理の開始から所定時間の経過前に該リレー局が該基地局と再接続できない場合、該所定時間の経過により該リレー局から送信される、呼切断を通知するメッセージを受信する受信部と、
前記メッセージの受信に応じて、対応する呼の呼切断処理を実行する処理装置と、をそなえた、
ことを特徴とする、端末。
（付記１５）
基地局と、端末と、該基地局と該端末との間で送受信される無線信号を中継するリレー局とを含む無線通信システムに用いられる無線通信方法において、
該リレー局は、
あるタイミングを基準とした複数の期間の経過毎に、それぞれの期間に対応する呼について、該基地局との間の再接続処理を実行し、
前記それぞれの期間に対応する呼についての前記再接続処理の開始から所定時間の経過前に該基地局と再接続できない場合、該所定時間の経過により、対応する呼の呼切断を通知するメッセージを該端末に送信し、
該端末は、
該リレー局から送信された前記メッセージを受信し、
前記メッセージの受信に応じて、対応する呼の呼切断処理を実行する、
ことを特徴とする、無線通信方法。
【国際調査報告】
2012035646.tif 000017
2012035646.tif 000018